(57)【要約】【課題】購入済みの既存ガラス管ヒューズのヒューズ切れの確認を行うのに用いることができるヒューズカバーなどを提供する。【解決手段】円筒状の既存ガラス管ヒューズ１に装着されるヒューズカバー１０は、正面が開口部にされた本体１１と、本体１１の正面側の両端に、本体１１の正面と反対側に向かって延びるようにそれぞれ設けられた第１および第２の引掛部１２1，１２2とを具備する。本体１１の上面および下面は第１および第２の明色部１１a1，１１a2になっており、本体１１の裏面は暗色部１１bになっている。【選択図】図１
2009054347.tif 000002
【特許請求の範囲】
【請求項１】
円筒状のガラス管ヒューズ（１）に装着されるヒューズカバー（１０）であって、
正面が開口部にされた本体（１１）を具備し、
該本体の上面および下面が第１および第２の明色部（１１a1，１１a2）になっており、該本体の裏面が暗色部（１１b）になっている、
ことを特徴とする、ヒューズカバー。
【請求項２】
前記暗色部の幅が前記本体の１／３周から１／６周の長さにされていることを特徴とする、請求項１記載のヒューズカバー。
【請求項３】
前記本体の正面側の両端に、該本体の正面と反対側に向かって延びるようにそれぞれ設けられた第１および第２の引掛部（１２1，１２2）をさらに具備することを特徴とする、請求項１または２記載のヒューズカバー。
【請求項４】
ガラス部（２１）と該ガラス部の両側面にそれぞれ取り付けられた第１および第２の金属キャップ（３1，３2）とを備えたガラス管ヒューズ（２０）であって、
前記ガラス部の正面が透明のままにされており、
前記ガラス部の正面と互いに対向する該ガラス部の裏面が、暗色の塗料で内面または外面が塗られた暗色塗面部（２１b）にされており、
前記ガラス部の正面と前記ガラス部の裏面との間の部分である前記ガラス部の上面および下面が、明色の塗料で内面または外面が塗られた第１および第２の明色塗面部（２１a1，２１a2）にされている、
ことを特徴とする、ガラス管ヒューズ。
【請求項５】
前記暗色塗面部の幅が前記ガラス管ヒューズの前記ガラス部の１／３周から１／４周の長さにされていることを特徴とする、請求項４記載のガラス管ヒューズ。
【発明の詳細な説明】
【技術分野】
【０００１】
本発明は、ヒューズカバーおよびガラス管ヒューズに関し、特に、ヒューズ切れの確認を行うのに好適なヒューズカバーおよびガラス管ヒューズに関する。
【背景技術】
【０００２】
従来、過大電流から電気回路を保護するために、円筒状のガラス管ヒューズ（以下、「既存ガラス管ヒューズ」と称する。）が一般的に使用されている。
【０００３】
また、下記の特許文献１には、暗色のヒューズホルダに取り付けられたガラス管ヒューズのヒューズ切れ（ヒューズ線の断線）の確認を容易に行うために、ガラス部の半周に明色の塗料を塗布したガラス管ヒューズが開示されている。
【特許文献１】実開平１−１３９３４１号公報
【発明の開示】
【発明が解決しようとする課題】
【０００４】
しかしながら、上記特許文献１に開示されているガラス管ヒューズを購入済みの既存ガラス管ヒューズに適用するためには、購入済みの既存ガラス管ヒューズのガラス部の半周に明色の塗料を塗布しなければならないという問題がある。
また、ガラス部の半周に明色の塗料を塗布しただけでは、暗色のヒューズホルダに装着されたガラス管ヒューズのヒューズ切れの確認を行うには効果的であるかもしれないが、たとえば透明な収納ケースに収納されたガラス管ヒューズのヒューズ切れの確認を行うには必ずしも効果的でないという問題がある。
【０００５】
本発明の目的は、購入済みの既存ガラス管ヒューズのヒューズ切れの確認を行うのに用いることができるヒューズカバーと、透明な収納ケースに収納してもヒューズ切れの確認も容易に行うことができるガラス管ヒューズとを提供することにある。
【課題を解決するための手段】
【０００６】
本発明のヒューズカバーは、円筒状のガラス管ヒューズ（１）に装着されるヒューズカバー（１０）であって、正面が開口部にされた本体（１１）を具備し、該本体の上面および下面が第１および第２の明色部（１１a1，１１a2）になっており、該本体の裏面が暗色部（１１b）になっていることを特徴とする。
ここで、前記暗色部の幅が前記本体の１／３周から１／６周の長さにされていてもよい。
前記本体の正面側の両端に、該本体の正面と反対側に向かって延びるようにそれぞれ設けられた第１および第２の引掛部（１２1，１２2）をさらに具備してもよい。
本発明のガラス管ヒューズは、ガラス部（２１）と該ガラス部の両側面にそれぞれ取り付けられた第１および第２の金属キャップ（３1，３2）とを備えたガラス管ヒューズ（２０）であって、前記ガラス部の正面が透明のままにされており、前記ガラス部の正面と互いに対向する該ガラス部の裏面が、暗色の塗料で内面または外面が塗られた暗色塗面部（２１b）にされており、前記ガラス部の正面と前記ガラス部の裏面との間の部分である前記ガラス部の上面および下面が、明色の塗料で内面または外面が塗られた第１および第２の明色塗面部（２１a1，２１a2）にされていることを特徴とする。
ここで、前記暗色塗面部の幅が前記ガラス管ヒューズの前記ガラス部の１／３周から１／４周の長さにされていてもよい。
【発明の効果】
【０００７】
本発明のヒューズカバーおよびガラス管ヒューズは、以下に示す効果を奏する。
（１）正面が開口部にされた本体の上面および下面が第１および第２の明色部にされるとともに本体の裏面が暗色部にされたヒューズカバーを購入済みの既存ガラス管ヒューズに装着することにより、ヒューズカバーが装着された既存ガラス管ヒューズを正面から見ると、ヒューズ線はヒューズカバーの開口部を通してヒューズカバーの暗色部の幅方向中央に見えるため、ヒューズ切れの確認を容易に行うことができる。
（２）ガラス管ヒューズのガラス部の正面を透明のままにし、ガラス部の裏面を暗色塗面部にし、ガラス部の上面および下面を第１および第２の明色塗面部にすることにより、ガラス管ヒューズを正面から見ると、ヒューズ線はガラス管ヒューズの正面を通してガラス部の裏面（暗色塗面部）の幅方向中央に見えるため、ヒューズ切れの確認を容易に行うことができる。
【発明を実施するための最良の形態】
【０００８】
上記の目的を、正面が開口部にされた本体の上面および下面を第１および第２の明色部にするとともに本体の裏面を暗色部にしたヒューズカバーを用いることにより、また、ガラス管ヒューズのガラス部の正面を透明のままにし、ガラス部の裏面を暗色塗面部にし、ガラス部の上面および下面を第１および第２の明色塗面部にすることにより実現した。
【実施例１】
【０００９】
以下、本発明のヒューズカバーおよびガラス管ヒューズの実施例について図面を参照して説明する。
まず、本発明の一実施例によるヒューズカバーについて、図１乃至図３を参照して説明する。
本実施例によるヒューズカバー１０は、図１（ａ），（ｂ）に示すように、本体１１と、本体１１と一体的に設けられた第１および第２の引掛部１２1，１２2とを具備する。
【００１０】
ここで、第１および第２の引掛部１２1，１２2を除いた本体１１の両側面の形状はＣ字状にされている。すなわち、本体１１の第１および第２の引掛部１２1，１２2を除いた部分は、本体１１の１／４周が開口部（以下、この部分を「本体１１の正面」と称する。）にされた円筒状の形状をしている。
また、本体１１の長さ（本体１１の長さ方向に沿った長さ）は既存ガラス管ヒューズ１のガラス部の長さと同じであり、本体１１の内径は既存ガラス管ヒューズ１のガラス部の外径と同じである。本体１１の材質および厚さは、本体１１の正面（開口部）から既存ガラス管ヒューズ１を本体１１内に押し込む際には本体１１の正面側の両端が開きかつ既存ガラス管ヒューズ１を本体１１内に押し込んだ後には本体１１の正面側の両端が元の位置に戻るような材質および厚さにされている。
これにより、本体１１の正面（開口部）と既存ガラス管ヒューズ１のガラス部とが互いに対向するように本体１１と既存ガラス管ヒューズ１とを並べたのち、本体１１の正面から既存ガラス管ヒューズ１を本体１１内に押し込むことにより、既存ガラス管ヒューズ１のガラス部の外面をヒューズカバー１０の内面に密着させかつ既存ガラス管ヒューズ１の第１および第２の金属キャップ３1，３2を露出させてヒューズカバー１０を既存ガラス管ヒューズ１に装着することができる（図２（ａ），（ｂ）参照）。
【００１１】
本体１１の上面の１／４周および本体１１の下面の１／４周は、黄色などの明色にされた第１および第２の明色部１１a1，１１a2になっており、本体１１の裏面の１／４周は、黒色などの暗色にされた暗色部１１bになっている。すなわち、第１および第２の明色部１１a1，１１a2と暗色部１１bとの幅はすべて本体１１の１／４周の長さにされている。
これにより、図２（ａ）に示すように、ヒューズカバー１０が装着された既存ガラス管ヒューズ１を正面から見ると、既存ガラス管ヒューズ１のヒューズ線２はヒューズカバー１０の開口部を通してヒューズカバー１０の暗色部１１bの幅方向中央に見えるため、ヒューズ線２の断線の確認（ヒューズ切れの確認）を容易に行うことができる。
このとき、本発明者による実験では、ヒューズカバー１０の上面および下面を第１および第２の明色部１１a1，１１a2にすると、ヒューズカバー１０の上面および下面を透明なままにしておいた場合に比べてヒューズ線２がより見え易く、ヒューズ切れの確認をより容易に行えることが分かった。特に、ヒューズカバー１０が装着された既存ガラス管ヒューズ１を透明な収納ケースに収納した場合には、ヒューズ切れの確認をより容易に行えることが分かった。
【００１２】
なお、ヒューズカバー１０の第１および第２の明色部１１a1，１１a2と暗色部１１bとの幅はすべて本体１１の１／４周の長さとしたが、これは、暗色部１１bの幅を本体１１の１／４周の長さとすることにより、図３に示すようにヒューズ線２’が斜めにされた既存ガラス管ヒューズ１’にヒューズカバー１０を装着しても、既存ガラス管ヒューズ１’を正面から見たときにヒューズ線２’がヒューズカバー１０の暗色部１１bに入るようにするためである。
しかし、既存ガラス管ヒューズ１’をヒューズカバー１０に対して回転することによってヒューズ線２’と暗色部１１bとの位置関係を自在に変えることができるため、ヒューズカバー１０の暗色部１１bの幅は本体１１の１／４周の長さに限らず、ヒューズカバー１０の暗色部１１bの幅を本体１１の１／３周から１／６周の長さまでとし、ヒューズカバー１０の残りの部分を第１および第２の明色部１１a1，１１a2としてもよい。
【００１３】
第１および第２の引掛部１２1，１２2は、本体１１の正面側の両端に、本体１１の正面（開口部）と反対側に向かって直線状に延びるようにそれぞれ設けられている。また、第１および第２の引掛部１２1，１２2は本体１１の右側面から左側面まで設けられている。
これにより、作業員は、ヒューズカバー１０が装着された既存ガラス管ヒューズ１のヒューズホルダへの取付け作業およびヒューズホルダからの取外し作業をヒューズカバー１０の第１および第２の引掛部１２1，１２2に指を引っ掛けながらすることができるので、この取付け作業および取外し作業を容易に行うことができる。
【実施例２】
【００１４】
次に、本発明の一実施例によるガラス管ヒューズについて、図４および図５を参照して説明する。
本実施例によるガラス管ヒューズ２０は、図４（ａ）〜（ｃ）に示すように、ガラス部２１が１／４周ずつ区切られて、ガラス部２１の１／４周（以下、この部分を「ガラス部２１の正面」と称する。）は透明のままにされているが、ガラス部２１の正面と互いに対向する１／４周（以下、この部分を「ガラス部２１の裏面」と称する。）は黒色などの暗色の塗料で内面または外面が塗られた暗色塗面部２１bにされており、ガラス部２１の正面とガラス部２１の裏面との間の部分（以下、この部分を「ガラス部２１の上面および下面」と称する。）は黄色などの明色の塗料で内面または外面が塗られた第１および第２の明色塗面部２１a1，２１a2にされている。すなわち、ガラス部２１の第１および第２の明色塗面部２１a1，２１a2と暗色塗面部２１bとの幅はすべてガラス部２１の１／４周の長さにされている。
【００１５】
これにより、図４（ａ）に示すように、ガラス管ヒューズ２０をガラス部２１の正面から見ると、ガラス管ヒューズ２０のヒューズ線２２はガラス部２１の正面（透明部）を通してガラス部２１の裏面（暗色塗面部２１b）の中央に見えるため、ヒューズ線２２の断線の確認（ヒューズ切れの確認）を容易に行うことができる。
このとき、本発明者による実験では、ガラス部２１の上面および下面を第１および第２の明色塗面部２１a1，２１a2にすると、ガラス部２１の上面および下面を透明なままにしておいた場合に比べてヒューズ線２２がより見え易くなり、ヒューズ切れの確認をより容易に行えることが分かった。特に、ガラス管ヒューズ２０を透明な収納ケースに収納した場合には、ヒューズ切れの確認をより容易に行えることが分かった。
【００１６】
なお、第１および第２の明色塗面部２１a1，２１a2と暗色塗面部２１bとの幅はすべてガラス部２１の１／４周の長さにしたが、これは、暗色塗面部２１bの幅をガラス部２１の１／４周の長さにすることにより、図５に示すようにヒューズ線２２’が斜めにされたガラス管ヒューズ２０’であっても、ガラス管ヒューズ２０をガラス部２１の正面から見たときにヒューズ線２２’が暗色塗面部２１bに入るようにするためである。
したがって、暗色塗面部２１bの幅は最低限ガラス部２１の１／４周の長さは必要であり、好ましくはガラス部２１の１／３周から１／４周の長さである。
【図面の簡単な説明】
【００１７】
【図１】本発明の一実施例によるヒューズカバー１０の構成を示す図であり、（ａ）は正面図であり、（ｂ）は右側面図である。
【図２】図１に示したヒューズカバー１０を既存ガラス管ヒューズ１に装着した状態を示す図であり、（ａ）は正面図であり、（ｂ）は底面図である。
【図３】ヒューズ線２’が斜めにされた既存ガラス管ヒューズ１’に図１に示したヒューズカバー１０を装着したときの状態を示す正面図である。
【図４】本発明の一実施例によるガラス管ヒューズ２０の構成を示す図であり、（ａ）は正面図であり、（ｂ）は右側面図であり、（ｃ）は底面図である。
【図５】図４に示したガラス管ヒューズ２０の暗色塗面部２１bの幅について説明するための図である。
【符号の説明】
【００１８】
１，１’  既存ガラス管ヒューズ
２，２’，２２，２２’  ヒューズ線
３1，３2，３1’，３2’，２３1，２３22，２３1’，２３2’  第１および第２の金属キャップ
１０  ヒューズカバー
１１  本体
１１a1，１１a2  第１および第２の明色部
１１b  暗色部
１２1，１２2  第１および第２の引掛部
２０，２０’  ガラス管ヒューズ
２１  ガラス部
２１a1，２１a2，２１a1’，２１a2’  第１および第２の明色塗面部
２１b，２１b’  暗色塗面部
【図１】
2009054347.tif 000003
【図２】
2009054347.tif 000004
【図３】
2009054347.tif 000005
【図４】
2009054347.tif 000006
【図５】
2009054347.tif 000007